【手続補正書】
【提出日】平成17年7月4日(2005.7.4)
【手続補正１】
【補正対象書類名】特許請求の範囲
【補正対象項目名】全文
【補正方法】変更
【補正の内容】
【特許請求の範囲】
【請求項１】
連続前部身体パネルウェブと、連続後部身体パネルウェブと、第１の機械方向に沿って間隔を置いて配置されて該連続前部及び後部身体パネルウェブ間に延びる複数の個別の股部分とを含む連続吸収性衣類サブアセンブリを該第１の機械方向に移動させる段階と、
ファスナー材料を第２の機械方向に移動させる段階と、
複数のファスナー部材を形成するために前記ファスナー材料を裁断する段階と、
前記第２の機械方向と実質的に垂直な軸線を中心に前記ファスナー部材の各々を連続的に回転させる段階と、
前記回転したファスナー部材の各々を、前記連続前部及び後部パネルウェブの一方に付加する段階と、
を含むことを特徴とする、再締結可能な吸収性衣類を製造する方法。
【請求項２】
前記ファスナー材料を第２の機械方向に移動させる段階は、該ファスナー材料の少なくとも２つのストリップを該第２の機械方向に移動させる段階を含むことを特徴とする請求項１に記載の発明。
【請求項３】
前記ファスナー材料の少なくとも２つのストリップを第２の機械方向に移動させる段階は、ファスナー材料のウェブを該第２の機械方向に移動させ、該ファスナー材料のウェブを該第２の機械方向に沿って裁断し、それによって該ファスナー材料の該少なくとも２つのストリップを形成する段階を含むことを特徴とする請求項２に記載の発明。
【請求項４】
前記少なくとも２つのストリップを、その間に間隔を置いた関係を形成するために横断方向に分離する段階を更に含むことを特徴とする請求項３に記載の発明。
【請求項５】
前記ファスナー材料のウェブを第２の機械方向に沿って裁断する段階は、蛇行的裁断を該第２の機械方向に沿って行い、それによってファスナー材料の２つのストリップ上に複数のタブを形成する段階を含むことを特徴とする請求項３に記載の発明。
【請求項６】
前記軸線は、第１の軸線であり、
前記少なくとも２つのストリップの各々の前記複数のタブが反対方向に外側寄りに向くように、前記ファスナー材料の２つのストリップの各々を前記第２の機械方向と平行な第２の軸線に沿って回転させる段階、
を更に含むことを特徴とする請求項５に記載の発明。
【請求項７】
前記複数のファスナー部材を形成するためにファスナー材料を裁断する段階は、該複数のファスナー部材の少なくとも２つの流れを形成するために、前記ファスナー材料の少なくとも２つのストリップの各々を裁断する段階を含むことを特徴とする請求項２に記載の発明。
【請求項８】
前記ファスナー部材の各々を連続的に回転させる段階は、前記複数のファスナー部材の前記少なくとも２つの流れの各々における該ファスナー部材の各々を連続的に回転させる段階を含むことを特徴とする請求項７に記載の発明。
【請求項９】
前記複数のファスナー部材の少なくとも２つの流れは、複数の締結システムを含み、
前記複数の締結システムの各々は、前記複数のファスナー部材の前記流れの各々からの該ファスナー部材の１つを含む、
ことを特徴とする請求項８に記載の発明。
【請求項１０】
前記複数のファスナー部材の少なくとも２つの流れの各々におけるファスナー部材の各々を連続的に回転させる段階は、前記締結システムの各々における該ファスナー部材を同時に回転させる段階を含むことを特徴とする請求項９に記載の発明。
【請求項１１】
前記回転したファスナー部材の各々を連続前部及び後部パネルウェブの一方に付加する段階は、前記締結システムの各々を前記連続前部及び後部パネルウェブの前記一方に連続的に付加する段階を含むことを特徴とする請求項１０に記載の発明。
【請求項１２】
前記複数のファスナー部材の少なくとも２つの流れは、該複数のファスナー部材の２つの流れを含み、
前記複数のファスナー部材の２つの流れの各々におけるファスナー部材の各々を連続的に回転させる段階は、前記複数の締結システムの１つからの１つのファスナー部材と、次の一連の締結システムからの１つのファスナー部材とでそれぞれ構成された該ファスナー部材の対を連続的かつ同時に回転させる段階を含み、
前記回転したファスナー部材の各々を連続前部及び後部パネルウェブの一方に付加する段階は、前記ファスナー部材の対を前記連続前部及び後部パネルウェブの前記一方に連続的に付加することにより、前記複数の締結システムを前記連続前部及び後部パネルウェブの前記一方に付加する段階を含む、
ことを特徴とする請求項９に記載の発明。
【請求項１３】
前記ファスナー部材の対の各々における前記ファスナー部材の各々は、該ファスナー部材の対の他方のファスナー部材の前記少なくとも１つのタブ部材に対して反対方向を向く少なくとも１つのタブ部材を含むことを特徴とする請求項１２に記載の発明。
【請求項１４】
前記複数のファスナー部材の前記少なくとも２つの流れは、該複数のファスナー部材の第１及び第２の流れを含み、
前記複数のファスナー部材の前記少なくとも２つの流れの各々における該ファスナー部材の各々を連続的に回転させて、前記回転したファスナー部材の各々を前記連続前部及び後部パネルウェブの前記一方に付加する段階は、前記複数のファスナー部材の前記第１の流れにおける該ファスナー部材の各々を回転させて、該第１の流れにおける前記回転したファスナー部材の各々を第１の位置で前記連続前部及び後部パネルウェブの前記一方に付加し、前記複数のファスナー部材の前記第２の流れにおける該ファスナー部材の各々を回転させて、該第２の流れにおける前記回転したファスナー部材の各々を、前記第１の位置の下流に位置する第２の位置で前記連続前部及び後部パネルウェブの前記一方に付加する段階を含む、
ことを特徴とする請求項９に記載の発明。
【請求項１５】
前記連続前部及び後部パネルウェブの前記一方を横断方向に沿って連続的に裁断し、それによって前記連続前部及び後部パネルウェブの前記一方に複数の横断方向裁断部を形成する段階を更に含み、
前記横断方向裁断部は、前記連続前部及び後部パネルウェブの前記一方に沿って前記第１の機械方向に間隔を置いて配置される、
ことを特徴とする請求項１に記載の発明。
【請求項１６】
前記ファスナー部材は、ベース部分及び再締結可能な部分を含み、
前記回転したファスナー部材の各々を連続前部及び後部パネルウェブの一方に付加する段階は、前記ベース部分及び前記再締結可能な部分を前記連続前部及び後部パネルウェブの前記一方に前記横断方向裁断部の１つの両側で付加する段階を含む、
ことを特徴とする請求項１５に記載の発明。
【請求項１７】
ベースウェブを第１の機械方向に移動させる段階と、
ファスナー材料の少なくとも２つのストリップを第２の機械方向に移動させる段階と、  複数のファスナー部材の少なくとも第１及び第２の流れを形成するために、前記ファスナー材料の少なくとも２つのストリップを裁断する段階と、
前記第１及び第２の流れの各々において、前記ファスナー部材の各々を前記第２の機械方向と実質的に垂直な軸線を中心に連続的に回転させる段階と、
前記第１の流れにおける前記ファスナー部材が、前記第２の流れにおける前記ファスナー部材に対して前記第１の機械方向に沿って交互する関係で前記ベースウェブ上に順番に配置されるように、前記第１及び第２の流れの各々における前記回転したファスナー部材の各々を前記ベースウェブに付加する段階と、
を含むことを特徴とする、再締結可能な吸収性衣類を製造する方法。
【請求項１８】
前記ファスナー材料の少なくとも２つのストリップを移動させる段階は、ファスナー材料のウェブを前記第２の機械方向に沿って移動させ、該ファスナー材料のウェブを該第２の機械方向に沿って裁断し、それによって前記ファスナー材料の前記少なくとも２つのストリップを形成する段階を含むことを特徴とする請求項１７に記載の発明。
【請求項１９】
前記少なくとも２つのストリップを、その間に間隔を空けて配置した関係を形成するために横断方向に分離する段階を更に含むことを特徴とする請求項１８に記載の発明。
【請求項２０】
前記ファスナー材料のウェブを第２の機械方向に沿って裁断する段階は、それに沿って蛇行的裁断を行い、それによって前記ファスナー材料の少なくとも２つのストリップの各々に複数のタブを形成する段階を含むことを特徴とする請求項１８に記載の発明。
【請求項２１】
前記複数のファスナー部材の前記少なくとも第１及び第２の流れは、複数の締結システムを含み、
前記複数の締結システムの各々は、前記複数のファスナー部材の前記第１及び第２の流れの各々からの前記ファスナー部材の１つを含み、
前記締結システムの各々における前記第１及び第２の流れの各々からの前記１つのファスナー部材は、前記交互する順番で前記ベースウェブ上に連続的に配置される、
ことを特徴とする請求項１７に記載の発明。
【請求項２２】
前記複数のファスナー部材の第１及び第２の流れの各々におけるファスナー部材の各々を連続的に回転させる段階は、前記締結システムの各々における前記ファスナー部材を同時に回転させる段階を含むことを特徴とする請求項２１に記載の発明。
【請求項２３】
前記回転したファスナー部材の各々をベースウェブに付加する段階は、前記締結システムの各々を該ベースウェブに連続的に付加する段階を含むことを特徴とする請求項２２に記載の発明。
【請求項２４】
前記複数のファスナー部材の第１及び第２の流れの各々におけるファスナー部材の各々を連続的に回転させる段階は、前記複数の締結システムの１つからの１つのファスナー部材と次の一連の締結システムからの１つのファスナー部材とでそれぞれ構成された該ファスナー部材の対を連続的かつ同時に回転させる段階を含み、
前記第１及び第２の流れの各々における回転したファスナー部材の各々をベースウェブに付加する段階は、前記ファスナー部材の対を前記ベースウェブに連続的に付加することにより、前記複数の締結システムを該ベースウェブに付加する段階を含む、
ことを特徴とする請求項２１に記載の発明。